(57)【要約】【課題】本発明の目的は、車幅方向の小型化を図った給電装置を提供することにある。【解決手段】給電装置は、車両本体とスライドドアとの間に設けられるワイヤハーネス２と、ワイヤハーネスのスライドドア側を保持する保持部４２２を有し、車幅方向Ｘに延在する揺動軸４０回りに揺動可能に軸支される揺動部材４２と、を備え、ワイヤハーネスは、保持部により、スライドドアの面方向に沿うように保持され、揺動軸は、保持部４２２より上方に位置し、揺動軸及び保持部４２２は、スライドドアの面方向に並んで設けられている。【選択図】図１
2020005355.tif 000002
【特許請求の範囲】
【請求項１】
車両本体からスライドドアに電力を供給するための給電装置であって、
前記車両本体と前記スライドドアとの間に設けられるワイヤハーネスと、
前記ワイヤハーネスのスライドドア側を保持する保持部を有し、車幅方向に延在する揺動軸回りに揺動可能に軸支される揺動部材と、を備え、
前記ワイヤハーネスは、前記保持部により、前記スライドドアの面方向に沿うように保持され、
前記揺動軸は、前記保持部より上方に位置し、前記揺動軸及び前記保持部は、前記スライドドアの面方向に並んで設けられていることを特徴とする給電装置。
【請求項２】
前記揺動部材の前記揺動軸回りに巻かれて前記揺動部材を所定の揺動方向に付勢する巻きバネを備え、
前記巻きバネは、前記保持部に保持された前記ワイヤハーネスを引上げ方向に付勢していることを特徴とする請求項１に記載の給電装置。
【請求項３】
前記ワイヤハーネスにおいて、前記保持部から前記車両本体側に引き出された部分の  曲率半径が大きくなるように当該部分を支持するガイド部材をさらに備えたことを特徴とする請求項１または２に記載の給電装置。
【発明の詳細な説明】
【技術分野】
【０００１】
本発明は、給電装置に関するものである。
【背景技術】
【０００２】
一般に、スライドドアを備えた車両には、車両本体からスライドドアに電力を供給するための給電装置が設けられる（例えば、特許文献１参照）。即ち、給電装置のワイヤハーネスによって、車両本体に搭載されたバッテリ等と、スライドドアに設けられた電装部品と、が電気的に接続されて電力が供給されるようになっている。
【０００３】
このような給電装置のワイヤハーネスは、一端が車体側プロテクタにおいて揺動可能に支持され、他端がスライドドア側プロテクタにおいて揺動可能に支持される。
【０００４】
図４は、従来の給電装置を構成するスライドドア側プロテクタの分解斜視図である。図４に示すように、ドア側プロテクタ１０４は、ワイヤハーネス１０２において、ドア側の部分を支持する揺動部１０５と、揺動部１０５の軸１００を車幅方向に挟み込みつつ、揺動部１０５をスライドドアに支持させるベース１０６及びカバー１０７と、を備えている。揺動部１０５は、軸１００となる軸部１００Ａ、１００Ｂを有する一対のコ字部材１０５Ａ、１０５Ｂから成り、ワイヤハーネス１０２の軸を中心とする周囲を囲みつつワイヤハーネス１０２の端部に取付け可能に構成されている。
【先行技術文献】
【特許文献】
【０００５】
【特許文献１】特開２０１７−２２２３０６号公報
【発明の概要】
【発明が解決しようとする課題】
【０００６】
しかしながら、従来の給電装置において、ドア側プロテクタ１０４は、揺動部１０５がベース１０７及びカバー１０７に挟んで支持されている。このため、車幅方向に大型化してしまう。
【０００７】
本発明の目的は、車幅方向の小型化を図った給電装置を提供することにある。
【課題を解決するための手段】
【０００８】
前記課題を解決し目的を達成するために、請求項１に記載された発明は、車両本体からスライドドアに電力を供給するための給電装置であって、前記車両本体と前記スライドドアとの間に設けられるワイヤハーネスと、前記ワイヤハーネスのスライドドア側を保持しつつ、車幅方向に延在する揺動軸回りに揺動可能に軸支される揺動部材と、を備え、前記揺動部材は、前記ワイヤハーネスのスライドドア側を保持するための保持部を有し、前記保持部及び前記揺動軸は、前記スライドドアの面方向に並んで設けられていることを特徴とする給電装置である。
【０００９】
請求項２に記載された発明は、請求項１に記載の発明において、前記揺動部材の前記揺動軸回りに巻かれて前記揺動部材を所定の揺動方向に付勢する巻きバネと、を備え、前記巻きバネは、前記揺動部材を介して該揺動部材に保持された前記ワイヤハーネスを引上げ方向に付勢していることを特徴とする。
【００１０】
請求項３に記載された発明は、請求項１または２に記載の発明において、記ワイヤハーネスにおいて、前記保持部から前記車両本体側に引き出された部分の曲率半径が大きくなるように当該部分を支持するガイド部材をさらに備えたことを特徴とする。
【発明の効果】
【００１１】
請求項１記載の発明によれば、車両本体からスライドドアに電力を供給するための給電装置であって、前記車両本体と前記スライドドアとの間に設けられるワイヤハーネスと、前記ワイヤハーネスのスライドドア側を保持しつつ、車幅方向に延在する揺動軸回りに揺動可能に軸支される揺動部材と、を備え、前記揺動部材は、前記ワイヤハーネスのスライドドア側を保持するための保持部を有し、前記保持部及び前記揺動軸は、前記スライドドアの面方向に並んで設けられている。即ち、揺動軸は、ワイヤハーネス経路上から位置をずらされて、保持部及び揺動軸は、スライドドアの面方向に並んで設けられている。これにより、揺動部材の片持ち軸での支持が可能となり、従来技術における揺動軸を挟み込むためのベース及びカバーのうち一方を省略することができるから部品点数を低減させつつ、揺動軸の延在方向（車幅方向）の小型化を図ることができる。
【図面の簡単な説明】
【００１２】
【図１】本発明の一実施の形態にかかる給電装置を示す斜視図である。
【図２】前記給電装置を構成するガイド部材を示す正面図である。
【図３】前記給電装置の変形例を示す斜視図である。
【図４】従来の給電装置を構成するスライドドア側プロテクタの分解斜視図である。
【発明を実施するための形態】
【００１３】
以下、本発明の一実施の形態を図面の図１〜３に基づいて説明する。なお、図１、３において、後述するコルゲートチューブ２２は、模式的に示している。
【００１４】
給電装置は、図１に示すように、車体（車両本体）とスライドドアを有する車両において、車体とスライドドアとの間に配索されるワイヤハーネス２を介して両者を電気的に接続する装置である。
【００１５】
給電装置１では、車体に設けられた不図示の電源からスライドドアに設けられた不図示の電気機器へとワイヤハーネス２を介して電力が供給される。この給電装置１は、図１に示すように、ワイヤハーネス２と、ワイヤハーネス２の車体側を保持する不図示の車体側保持部と、ワイヤハーネスのスライドドア側を保持するドア側保持部４と、を備えている。
【００１６】
尚、図１等において、車両の車幅方向であって車体とスライドドアとの離間方向を矢印Ｘで示し、車両の進行方向を矢印Ｙで示し、矢印Ｘ及び矢印Ｙに直交する方向を矢印Ｚで示す場合がある。矢印Ｙのうち、全閉位置のドア側保持部４が位置する側を「前方Ｙ１」と記し、全開位置のドア側保持部４が位置する側を「後方Ｙ２」と記す場合がある。
【００１７】
本実施形態において、全閉位置とは、スライドドアが前方Ｙ１に位置し、スライドドアに支持されたドア側保持部４が車体側保持部より前方Ｙ１に位置することである。また、全開位置とは、スライドドアが後方Ｙ２に位置し、スライドドアに支持されたドア側保持部４が車体側保持部より後方Ｙ２に位置することである。また、半開位置とは、スライドドアが全閉位置と全開位置との間に位置し、スライドドアに支持されたドア側保持部４が車体側保持部に近接する位置にあることである。
【００１８】
ワイヤハーネス２は、図１に示すように、複数本の電線が束ねられた電線束２１における一部が樹脂製のコルゲートチューブ２２に通されたものとなっている。電線束２１は、車体とスライドドアとの間の部分がコルゲートチューブ２２に通されている。電線束２１は、図１に示すように、コルゲートチューブ２２よりも長く形成され、スライドドア側の端部（以下、露出部分２１ａと記す）が露出されている。
【００１９】
さらに、ワイヤハーネス２は、図１に示すように、コルゲートチューブ２２の内側で、電線束の周囲を囲みこれに沿わされて、電線束やコルゲートチューブ２２の湾曲をガイドするコルゲートガイド２３を有している。即ち、コルゲートガイド２３は、コルゲートチューブ２２の内側に設けられている。コルゲートガイド２３は、コルゲートチューブ２２の端部に固定されている。
【００２０】
コルゲートガイド２３は、図１に示すように、ドア側揺動部材４２が揺動することにより、ワイヤハーネス２において大きく屈曲される部分（以下では、引出し部分２０と記す）に設けられている。引出し部分２０とは、車体側保持部とドア側保持部４との間に保持されたワイヤハーネス部分において、ドア側揺動部材４２の後述する保持部４２２から引き出された位置を含む所定の部位のことである。即ち、コルゲートガイド２３は、コルゲートチューブ２２より短く形成されていて、引出し部分２０のみに設けられている。即ち、ワイヤハーネス部分は、引出し部分２０が後述する巻きバネ４３の付勢力により引上げ方向Ｒに付勢されていることで、車体側保持部から引き出された部分が引き上げられるから、車体側保持部から引き出された部分には設けられていない。
【００２１】
コルゲートガイド２３は、図２に示すように、電線束の軸方向に配列された複数のコ字部材２３１と、複数のコ字部材２３１を、等間隔をあけて支持する不図示の長尺部材と、を備えている。このようなコルゲートガイド２３は、スライドドアの開閉移動に伴う許容方向への湾曲を許容する。また、コルゲートガイド２３は、規制方向へ湾曲した際に、隣接するコ字部材２３１同士が当接されることで、規制方向への所定の限界状態以上の湾曲を規制する。こうして、コルゲートガイド２３は、スライドドアがスライド移動した際に、引出し部分２０が過剰に屈曲することを抑制しつつ、引出し部分２０の曲率半径が大きくなるように、引出し部分２０を支持している。
【００２２】
ドア側保持部４は、図１に示すように、車幅方向に延在するドア側揺動軸４０を有するドア側支持部材４１と、ドア側揺動軸４０回りに揺動可能に軸支されるドア側揺動部材４２と、巻きバネ４３と、を備えている。巻きバネ４３は、ドア側揺動軸４０回りに巻かれてドア側揺動部材４２を所定の揺動方向Ｒ（引上げ方向Ｒと記す場合がある）に付勢する。揺動方向Ｒとは、車室内から見て反時計回りである。巻きバネ４３の付勢力により、引出し部分２０は、上方かつ前方（引上げ方向Ｒ）に引き上げられる。
【００２３】
ドア側支持部材４１は、平面視が長方形状に形成されている。また、ドア側支持部材４１は、長手方向の一端が前方Ｙ１でかつ上方に位置し、他端が後方Ｙ２でかつ下方に位置するように斜めになるようにスライドドアに固定されている。
【００２４】
また、ドア側支持部材４１は、図１に示すように、平面視が長方形状の支持部本体４１１と、車幅方向Ｘに延在するドア側揺動軸４０と、支持部本体４１１の長手方向の両端部に設けられた一対の挿入部４１２、４１２と、を有して構成されている。一対の挿入部４１２、４１２は、それぞれ、スライドドアから離れる方向に筒状に立設して設けられている。そして、ドア側支持部材４１は、支持部本体４１１をスライドドアに重ねた状態で、各挿入部４１２、４１２に不図示のボルトを挿入することで、スライドドアにボルト固定される。
【００２５】
ドア側揺動部材４２は、図１に示すように、平面視が長方形状の揺動部本体４２１と、ドア側支持部材４１のドア側揺動軸４０に軸支される不図示の軸受けと、コルゲートチューブ２２のスライドドア側の端部を保持する保持部４２２と、を備えている。軸受けは、揺動部本体４２１の長手方向の一端部に設けられ、保持部４２２は、揺動部本体４２１の長手方向の他端部に設けられている。軸受け及び保持部４２２は、スライドドアの面方向（ＹＺ方向）に沿って並んで設けられている。
【００２６】
保持部４２２は、図１に示すように、円弧状に形成された曲面４２２ａを有し、ワイヤハーネス２の軸を中心とする周囲を囲むことが可能な筒状に形成されている。保持部４２２は、一対の開口端４ａ、４ｂを有している。一対の開口端４ａ、４ｂのうち、一方（以下、ドア側開口端４ａと記す）は、ワイヤハーネス２の露出部分２１ａ側に位置し、他方（以下、車体側開口端４ｂと記す）は、ワイヤハーネス２の露出部分２１ａから離れた車体側に位置している。
【００２７】
このようなドア側揺動部材４２は、軸受けがドア側揺動軸４０に軸支された際、曲面４２２ａがドア側支持部材４１の支持部本体４１１に近接され、保持部４２２がドア側揺動軸４０の下方側の位置するように支持される。ワイヤハーネス２は、保持部４２２により、スライドドアの面方向に沿うように保持される。そして、ドア側揺動部材４２により支持された引出し部２０は、巻きバネ４３の付勢力により、引上げ方向Ｒに付勢される。
【００２８】
ここで、スライドドアの開閉時には、ワイヤハーネス２が次のように変形しつつ移動する。
【００２９】
スライドドアが全開位置にある際、ドア側揺動部材４２は、ドア側支持部材４１に軸支されて、車体側開口端４ｂは、閉方向（前方Ｙ１）斜め下側を向いている。この際、車体側保持部とドア側保持部４との間に保持されたワイヤハーネス部分は、引出し部分２０が、巻きバネ４３の付勢力により引上げ方向（車室内側から見て反時計回り）に付勢されている。これにより、ワイヤハーネス部分は、引き上げられてテンションがかかった状態とされる。この状態から、スライドドアの閉方向への移動によって、ワイヤハーネス２は、変形しつつ移動を開始する。
【００３０】
そして、スライドドアの閉方向への移動に伴って、ドア側保持部４が車体側保持部に近付けられつつ、ドア側揺動部材４２がドア側揺動軸４０を中心として揺動される。こうして、スライドドアが半開位置に到達する。ワイヤハーネス部分は、引出し部分２０が、巻きバネ４３の付勢力により引上げ方向Ｒに付勢されているが、スライドドアの閉方向への移動に伴って、ドア側保持部４が前方Ｙ１に車体側保持部に近付けられつつ、車幅方向Ｘに離隔されることで、スライドドアが全開位置にある際に比して若干垂れ下がった状態となる。
【００３１】
さらなるスライドドアの閉方向への移動に伴って、引出し部分２０が、巻きバネ４３の付勢力により引上げ方向Ｒに付勢された状態で、スライドドアとともに前方Ｙ１に引っ張られる。ここで、本実施形態では、引出し部分２０にコルゲートガイド２３が設けられていることで、引出し部分２０が過剰に屈曲されることなく、引出し部分２０の屈曲の曲率半径が大きくなるように支持されている。こうして、スライドドアが全閉位置に到達する。
【００３２】
上述した実施形態によれば、車両本体からスライドドアに電力を供給するための給電装置であって、前記車両本体と前記スライドドアとの間に設けられるワイヤハーネスと、ワイヤハーネス２のスライドドア側を保持しつつ、車幅方向Ｘに延在するドア側揺動軸４０（揺動軸）回りに揺動可能に軸支されるドア側揺動部材４２（揺動部材）と、を備え、ドア側揺動部材４２は、ワイヤハーネス２のスライドドア側を保持するための保持部４２２を有し、保持部４２２及びドア側揺動軸４０は、スライドドアの面方向（ＹＺ方向）に並んで設けられている。即ち、ドア側揺動軸４０は、ワイヤハーネス２の経路上から位置をずらされて、保持部４２２及びドア側揺動軸４０は、スライドドアの面方向（ＹＺ方向）に並んで設けられている。これにより、ドア側揺動部材４２の片持ち軸での支持が可能となり、従来技術における揺動軸を挟み込むためのベース及びカバーのうち一方を省略することができるから部品点数を低減させつつ、ドア側揺動軸４０延在方向（車幅方向）の小型化を図ることができる。
【００３３】
また、ドア側揺動部材４２（揺動部材）のドア側揺動軸４０（揺動軸）回りに巻かれてドア側揺動部材４２を揺動方向Ｒに付勢する巻きバネ４３と、を備えている。即ち、巻きバネ４３は、保持部４２２に保持されたワイヤハーネス２の引出し部分２０を引上げ方向Ｒに付勢している。これにより、スライドドアと車両本体との間に位置するワイヤハーネス部分の垂れ下がりが低減される。これにより、スライドドアと車両本体との間に位置するワイヤハーネス部分が周辺部品に干渉することの抑制を図ることができる。さらに、巻きバネ４３の付勢力によって、ワイヤハーネス部分の垂れ下がりが低減されることにより、ワイヤハーネス部分において、車体側保持部から引き出された部分を支持するガイド部材を廃止することができる。
【００３４】
また、ワイヤハーネス２において、保持部４２２から車体（車両本体）側に引き出された引出し部分２０（部分）の曲率半径が大きくなるように当該引出し部分２０を支持するコルゲートガイド２３（ガイド部材）をさらに備えている。これにより、引出し部分２０が、巻きバネ４３の付勢力により引上げ方向Ｒ（車室内側から見て反時計回り）に付勢されていても、コルゲートガイド２３が設けられていることで、引出し部分２０が過剰に屈曲されることの抑制を図ることができる。
【００３５】
なお、本発明は、前記実施形態に限定されるものではなく、本発明の目的が達成できる他の構成等を含み、以下に示すような変形例も本発明に含まれる。
【００３６】
前記実施形態において、コルゲートガイド２３は、コルゲートチューブ２２の端部に固定されていたが、本発明はこれに限定されるものではない。図３に示すように、給電装置１０において、コルゲートガイド１２３は、ドア側揺動部材４２の保持部４２２に固定されていてもよい。即ち、コルゲートガイド１２３は、ドア側揺動部材４２と一体に設けられていてもよい。その場合には、図３に示すように、コルゲートガイド１２３は、コルゲートチューブ２２の外側に設けられていてもよい。これによれば、前記実施形態と略同様の効果が奏される。
【００３７】
また、前記実施形態では、ドア側支持部材４１は、支持部本体４１１をスライドドアに重ねた状態でボルト固定されている。即ち、一対の挿入部４１２が、スライドドアから離れる方向に立設されているが、本発明はこれに限定されるものではない。一対の挿入部が、スライドドアに向けて立設されるように、ドア側支持部材は、スライドドアに固定されていてもよい。即ち、スライドドアと支持部本体との間に、ドア側揺動部材が設けられるように、ドア側支持部材がスライドドアに固定されていてもよい。
【００３８】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００３９】
１、１０      給電装置
２            ワイヤハーネス
２０          引出し部分（保持部から車両本体側に引き出された部分）
２３、１２３  コルゲートガイド（ガイド部材）
４０          ドア側揺動軸（揺動軸）
４３          巻きバネ
４２          ドア側揺動部材（揺動部材）
４２２        保持部
【図１】
2020005355.tif 000003
【図２】
2020005355.tif 000004
【図３】
2020005355.tif 000005
【図４】
2020005355.tif 000006